(57)【要約】      （修正有）【課題】ロック／アンロック操作を容易に行うことが可能な物品のホルダーを提供する。【解決手段】係合部材１を、一方向が長いプレート体１ａに係合部２を立設すると共にその係合部材１が第１の物品８に取り付けられた際にプレート体１ａと第１の物品８（携帯電話機８ａ）との間に適宜の隙間が開くように構成し、また、保持部材９を、係合部材１の係合部２と自動係合可能な係合受部１５を形成すると共にその係合状態において係合部材１のプレート体１ａの短手方向と同一または少し広めの間隙を開けて対向する可動壁１３を有する一部または全部が可動且つ自動復帰可能な収容部１１から構成する。さらに、収容部１１を係合部材１の係合部２の押し当てによって係合受部１５への案内路１４が発現するように構成する。【選択図】図１
2005121047.tif 000002
【特許請求の範囲】
【請求項１】
第1の物品に装着可能な係合部材と、その係合部材をロック可能に保持し且つ第２の物品に装着可能な装着手段を備えた保持部材とからなるホルダーであって、係合部材は一方向が長いプレート体に係合部が立設されてなると共にその係合部材が第１の物品に取り付けられた際にプレート体と第１の物品との間に適宜の隙間が開くようになっており、また、保持部材は係合部材の係合部と自動係合可能な係合受部が形成されていると共にその係合状態において係合部材のプレート体の短手方向と同一または少し広めの間隙を開けて対向する壁を有した一部または全部が可動且つ自動復帰する収容部からなり、その収容部は係合部材の係合部の押し当てによって係合受部への案内路が出現可能になっていることを特徴とする物品のホルダー
【請求項２】
前記係合部材のプレート体が略楕円形または略長方形であることを特徴とする請求項１の物品のホルダー
【請求項３】
前記係合部材の係合部が断面円形または断面楕円の柱状体であることを特徴とする請求項１の物品のホルダー
【請求項４】
前記係合部材の係合部が断面多角形または断面三角形の柱状体であることを特徴とする請求項１の物品のホルダー
【請求項５】
前記係合部材の係合部がプレート体と第１の物品との間に適宜の隙間を設けるための脚部を兼ねていることを特徴とする請求項１の物品のホルダー
【請求項６】
前記保持部材の収容部が一対の可動且つ自動復帰するものであることを特徴とする請求項１の物品のホルダー
【請求項７】
前記保持部材の収容部が係合部材の係合部を案内路の出現部位に誘導可能な形状になっていることを特徴とする請求項１の物品のホルダー
【請求項８】
第1の物品に装着可能な係合部材と、その係合部材をロック可能に保持し且つ第２の物品に装着可能な装着手段を備えた保持部材とからなるホルダーであって、係合部材は係合部が形成されたプレート体とそのプレート体と第１の物品との間に適宜の隙間を設けるための脚部とからなり、また、保持部材は係合部材のプレート体の係合部と自動係合可能な係合受部と係合部材の脚部と自動係合可能な脚受部が形成された収容部からなり、その収容部の少なくとも係合受部および／または脚受部は適宜の弾性を有しており、また、係合受部および／または脚受部への係合が適宜の力によって係合されることを特徴とする物品のホルダー
【請求項９】
前記係合部材のプレート体が山形状であることを特徴とする請求項８の物品のホルダー
【請求項１０】
前記係合部材の少なくとも係合部および／または脚部が適宜の弾性を有していることを特徴とする請求項８の物品のホルダー
【請求項１１】
第1の物品に装着可能な係合部材と、その係合部材をロック可能に保持し且つ第２の物品に装着可能な装着手段を備えた保持部材とからなるホルダーであって、
係合部材は周縁付近を係合部位とするプレート体とそのプレート体と第１の物品との間に適宜の隙間を設けるための脚部とからなり、また、保持部材は係合部材のプレート体を収容可能な前倒れ且つ自動復帰する収容部とプレート体が収容された際にそのプレート体の鉛直移動を阻止可能に配設された張出体とからなることを特徴とする物品のホルダー
【請求項１２】
前記係合部材のプレート体が円形または角形であることを特徴とする請求項１１の物品のホルダー
【請求項１３】
前記保持部材の収容部に係合部材の脚部が通過でき且つプレート体より幅が狭い切り欠きが形成されていることを特徴とする請求項１１の物品のホルダー
【請求項１４】
前記保持部材の収容部の切り欠きが略Ｕ字状であることを特徴とする請求項１３の物品のホルダー
【請求項１５】
前記収容部がその復帰状態において係合部材のプレート体の一部を収容部内に係入可能になっていることを特徴とする請求項１１の物品のホルダー
【請求項１６】
第1の物品に装着可能な係合部材と、その係合部材をロック可能に保持し且つ第２の物品に装着可能な装着手段を備えた保持部材とからなるホルダーであって、
係合部材は係合孔とその係合孔を間にして一対の鉤手条が対向して形成されてなり、また、保持部材は係合部材の係合孔と係合可能な係合突起とその周囲に形成されて係合突起と同一またはそれ以上に突出する自動復帰するプレート体からなり、そのプレート体はプレート体と保持部材本体との間に適宜の隙間を設けるための脚部を有し、また、係合部材の鉤手条内の鉤手下から外れない幅であることを特徴とする物品のホルダー
【請求項１７】
前記係合部材の鉤手条の鉤手が中央部分の突出量を多くした山形状であることを特徴とする請求項１６の物品のホルダー
【請求項１８】
前記係合部材の係合孔が鉤手の頂部を結ぶ線上に設けられていることを特徴とする請求項１７の物品のホルダー
【請求項１９】
前記保持部材のプレート体が円形または多角形であることを特徴とする請求項１６の物品のホルダー
【請求項２０】
前記保持部材のプレート体が三角形または四角形であることを特徴とする請求項１６の物品のホルダー
【請求項２１】
第1の物品に装着可能な係合部材と、その係合部材をロック可能に保持し且つ第２の物品に装着可能な装着手段を備えた保持部材とからなるホルダーであって、  係合部材は自動復帰する係合突起とその係合突起の復帰位置において係合突起の動きを阻止可能に且つ係合部材の本体より突出する突出部が設けられてなる自動復帰する制動部材とその制動部材の所定の動作を確保可能に係合部材の本体と第１の物品との間に適宜の隙間を設けるための脚部とからなり、また、保持部材は係合部材を収容可能に且つ係合部材の係合突起と係合可能な係合孔を有すると共に係合突起と係合孔の少なくとも係合位置付近においては係合部材の制動部材を復帰状態におき且つ突出部を押し当て可能な壁が設けられた収容部からなることを特徴とする物品のホルダー
【請求項２２】
前記係合部材が略逆台形状または略逆三角形状であると共に、保持部材の収容部が少なくともその係合部材の係合突起付近の形状とほぼ合致する形状であることを特徴とする請求項２１の物品のホルダー
【請求項２３】
前記係合部材の係合突起が進退動作するものであることを特徴とする請求項２１の物品のホルダー
【請求項２４】
前記係合部材の係合突起が回動動作するものであることを特徴とする請求項２１の物品のホルダー
【請求項２５】
第1の物品に装着可能な係合部材と、その係合部材をロック可能に保持し且つ第２の物品に装着可能な装着手段を備えた保持部材とからなるホルダーであって、  係合部材は係合部が形成された一方向が長いプレート体とそのプレート体と第１の物品との間に適宜の隙間を設けるための脚部とからなり、また、保持部材は係合部材のプレート体を挿入するためのプレート体とほぼ同一形状の開口を有する本体とその本体の開口孔に挿入したプレート体が適宜に回転されることによって係合部材の係合部と自動係合可能な係合受部が形成されてなり、その係合が適宜の圧力を以って係合されることを特徴とする物品のホルダー
【請求項２６】
前記係合部材のプレート体が略楕円形または略長方形であることを特徴とする請求項２５の物品のホルダー
【請求項２７】
前記係合部材が中央が盛り上がっている山形状であることを特徴とする請求項２５の物品のホルダー
【請求項２８】
前記係合部材および／または前記保持部材に係合部材の係合部と保持部材の係合受部とを係合させるための案内または位置決め手段が設けられていることを特徴とする請求項２５の物品のホルダー
【請求項２９】
前記係合部材および／または前記保持部材の一部または全部が適宜の弾性素材で形成されていることを特徴とする請求項２５の物品のホルダー
【請求項３０】
前記係合部材の係合部と保持部材の係合受部との係合が突起と孔との関係によるものであることを特徴とする請求項２５の物品のホルダー
【請求項３１】
前記係合が適宜の圧力を以って行うものであることを特徴とする請求項３０の物品のホルダー
【請求項３２】
前記保持部材の係合部材のプレート体を挿入するための開口が、係合部材のプレート体の平面視での形状とほぼ同一であることを特徴とする請求項２５の物品のホルダー
【請求項３３】
第1の物品に装着可能な係合部材と、その係合部材をロック可能に保持し且つ第２の物品に装着可能な装着手段を備えた保持部材とからなるホルダーであって、  係合部材はプレート体に係合部が立設されてなると共にその係合部材が第１の物品に取り付けられた際にプレート体と第１の物品との間に適宜の隙間が開くようになっており、また、保持部材は係合部材の係合部と自動係合可能な係合受部が形成されると共にその係合状態において係合部材の最大幅と同一または少し広めの間隙を開けて対向する壁を有した一部または全部が可動且つ自動復帰する収容部からなり、その収容部は係合部材の係合部の押し当てによって係合受部への案内路が出現可能になっており、また、適宜の部位に係合部材の係合解除操作部が設けられていることを特徴とする物品のホルダー
【請求項３４】
前記係合部材のプレート体が円形または多角形であることを特徴とする請求項３３の物品のホルダー
【請求項３５】
前記係合部材の係合部が断面円形または断面楕円の柱状体であることを特徴とする請求項３３の物品のホルダー
【請求項３６】
前記係合部材の係合部が断面多角形または断面三角形の柱状体であることを特徴とする請求項３３の物品のホルダー
【請求項３７】
前記係合部材の係合部がプレート体と第１の物品との間に適宜の隙間を設けるための脚部を兼ねていることを特徴とする請求項３３の物品のホルダー
【請求項３８】
前記保持部材の収容部が一対の可動且つ自動復帰するものであることを特徴とする請求項３３の物品のホルダー
【請求項３９】
前記保持部材の収容部が係合部材の係合部を案内路の出現部位に誘導可能な形状になっていることを特徴とする請求項３３の物品のホルダー
【請求項４０】
第1の物品に装着可能な係合部材と、その係合部材をロック可能に保持し且つ第２の物品に装着可能な装着手段を備えた保持部材とからなるホルダーであって、  係合部材は係合部が形成されたプレート体とそのプレート体と第１の物品との間に適宜の隙間を設けるための脚部とからなり、また、保持部材は係合部材のプレート体を収容可能な収容部とその収容部の奥端に設けられて係合部材の係合部と自動係合可能な係合受部が形成された自動復帰するレバーとからなることを特徴とする物品のホルダー
【請求項４１】
前記保持部材のレバーが係合部材の挿脱方向に対して直角方向にスライドすることを特徴とする請求項４０の物品のホルダー
【請求項４２】
前記保持部材の収容部の入口に係合部材の脱方向に弾発する弾性手段が設けられ、また、前記係合部材にその弾性手段と当接可能な当接部が設けられ、係合部材と保持部材との係合により係合部材の当接部によって保持部材の弾性手段が押し込まれることを特徴とする請求項４０の物品のホルダー
【請求項４３】
前記係合部材のプレート体に設けている係合部が脚部に設けられていることを特徴とする請求項４０の物品のホルダー
【請求項４４】
第1の物品に装着可能な係合部材と、その係合部材をロック可能に保持し且つ第２の物品に装着可能な装着手段を備えた保持部材とからなるホルダーであって、  係合部材は周縁付近を係合部位とするプレート体とそのプレート体と第１の物品との間に適宜の隙間を設けるための脚部とからなり、また、保持部材は係合部材のプレート体を挿入可能な開口を有する本体とその本体の外方に設けられてプレート体の係合部位と自動係合可能な係合受部が形成された自動復帰するボタンとからなることを特徴とする物品のホルダー
【請求項４５】
前記保持部材の本体の一部または全部が開口を中心にしてすり鉢状になっていることを特徴とする請求項４４の物品のホルダー
【請求項４６】
前記保持部材のボタンが開口を間にして一対で設けられていることを特徴とする請求項４４の物品のホルダー
【請求項４７】
前記保持部材のボタンの押し込み操作によって係合部材のプレート体が脱方向に押し出されることを特徴とする請求項４４の物品のホルダー
【請求項４８】
前記係合部材の一部または全部が第１の物品に一体成型されていることを特徴とする請求項１または請求項８または請求項１１または請求項１６または請求項２１または請求項２５または請求項３３または請求項４０または請求項４４の物品のホルダー
【請求項４９】
前記第１の物品が携帯可能な物品であることを特徴とする請求項４８の物品のホルダー
【請求項５０】
前記第１の物品が壁に掛けて使用可能な物品であることを特徴とする請求項４８の物品のホルダー
【請求項５１】
前記保持部材の一部または全部が第２の物品に一体成型されていることを特徴とする請求項１または請求項８または請求項１１または請求項１６または請求項２１または請求項２５または請求項３３または請求項４０または請求項４４の物品のホルダー
【請求項５２】
前記第２の物品が少なくともベルトであることを特徴とする請求項５１の物品のホルダー
【請求項５３】
前記保持部材をベルトに装着する際の装着手段が、保持部材に設けられている板体をベルトの幅方向に掛け回し、且つその板体の適宜の部位を板体または保持部材に固定または連結するものであることを特徴とする請求項１または請求項８または請求項１１または請求項１６または請求項２１または請求項２５または請求項３３または請求項４０または請求項４４の物品のホルダー
【請求項５４】
前記板体が柔軟な帯体であることを特徴とする請求項５２の物品のホルダー
【発明の詳細な説明】
【技術分野】
【０００１】
本発明は、物品をロック可能に保持する物品のホルダーに関しするものである。
【背景技術】
【０００２】
従来、携帯電話機の持ち歩きに際しては、携帯電話機を衣服のポケットに入れたり、また、カバン等に入れて持ち歩いていた。しかし、姿勢の変化によってポケットから携帯電話機が落ちたり、取り出す際や収納する際に携帯電話機を誤って落として破損させるケースが多々あった。
このことから、衣服に装着可能な携帯電話機の収納具や保持紐が考案されて一応の成果を上げている。収納具は、ズボンのベルトに装着できるようになっていて、その収納部に携帯電話機を入れて飛び出し防止用のベルトをセットすることによって携帯電話着の飛び出しを防ぐようになっている。また、保持紐は、衣服に装着した巻取付勢されたリールから延びる紐を携帯電話機に接続して、携帯電話機が落下した際に地面との衝突を防ぐようになっている。
【発明の開示】
【発明が解決しようとする課題】
【０００３】
しかし、飛び出し防止用のベルトで携帯電話機の飛び出しを防ぐようになっている収納具は、収納の際や取り出しの際に飛び出し防止用のベルトをいちいちセットまたは外したりしなければならず非常に面倒であった。このため、収納具を使用している内ちだんだん飛び出し防止用のベルトをしないで携帯電話機を入れるようになってしまい、この結果、姿勢の変化等によって携帯電話機を落下させてしまうことが多々ある。
また、落下した携帯電話機の地面との衝突を防ぐようになっている保持紐は、携帯電話機の使用の際、紐の付勢が携帯電話機を引っ張り使い難いく、また、ポケットにペン等を挿していると、紐がそのペン等に絡み付いてしまい煩わしいのであった。
【０００４】
本発明は上述した問題点に鑑みてなされたもので、一つに、携帯電話機等の携帯可能な物品をロック可能に且つ確実に保持し、また、ロック／アンロック操作を容易に行うことが可能な物品のホルダーを提供することを目的とし、他には、仕事やレジャーで携帯する小型の機器や機具（電気／電子／機械等）／測定具／収納具／部材、さらには、壁等に掛けて使用可能な物品にも応用することが可能な物品のホルダーを提供することを目的とするものである。
【０００５】
その物品の具体的なものとして、仕事やレジャーで携帯する小型のものとしては、少なくとも携帯電話機／無線通信機／モバイル機器／ＣＤやＭＤのプレーヤー／カーテレビ／カメラ／ビデオカメラ、また、電圧や電流の検知や測定をはじめとする各種テスター／スタッド探知器／金属探知器／懐中電灯等の電子機器や電気機器が上げられる。釣具では、少なくとも道具入／ルアーケース／餌入／魚篭等が上げられる。建築では少なくとも巻尺／下げ振り／ネジ入／小物部材入／カッターナイフ／ヘラ等があり、他の部材ではメモ用紙等の薄い部材を挟むバインダー等が上げられる。
そして、常設するものとしては、壁掛可能な映像機器または音響機器または額、すなわち常設する物品では、壁掛テレビ／ＣＤやＭＤのプレーヤー／スピーカー／絵画やポスターの額等が上げられる。
【課題を解決するための手段】
【０００６】
本発明の要旨とするところは、第1の物品に装着可能な係合部材と、その係合部材をロック可能に保持し且つ第２の物品に装着可能な装着手段を備えた保持部材とからなるホルダーであって、その係合部材と保持部材は後述する各態様によって構成されてなる。
【０００７】
係合部材は、第1の物品に適宜の方法により、例えば、ネジ／粘着テープ／圧入／嵌入／接着による固定手段によって取り付け可能になっている。また、第1の物品に有する紐等に取り付ける場合も挟持手段等や遊着手段によって取り付け可能になっている。さらには、第1の物品に有する紐等を結着可能な結着手段を備えてもよい。結着手段は別体部材であっても係合部材の形状によって結着できるようにしてもよい。
また、本体の適宜の部位には、保持部材に形成されている係合受部とロック状態に係合可能（係着も含む）な係合部が形成されている。
また、係合部材の一部または全部を第1の物品に一体成型してもよい。すなわち、その物品の外装（ケース等）の成型と同時成型可能な部位を一体的に成型したり、あるいは、成型された係合部材の一部または全部をオンサート成型やインサート成型によってケースに一体的に成型してもよい。
【０００８】
係合部材が装着される第1の物品とは、その物品の使用において簡単に外れたり、また、外れて落下しては困る物品を主体にしているが、勿論、これらの物品への使用に限定されるものではなく、他の所望の物品に用いてもよい。
使用される物品の具体的な例を示すと、携帯可能な通信機器または情報端末または撮影機器では、例えば、携帯電話機／無線通信機／モバイル機器／ＣＤやＭＤのプレーヤー／カーテレビ／カメラ／ビデオカメラ等である。また、携帯可能な検知機器または測定機器または照明機器では、例えば、電圧や電流の検知や測定をはじめとする各種テスター／スタッド探知器／金属探知器／下げ振り／懐中電灯等である。さらに、携帯可能な収納具または釣具または工具またはバインダーでは、例えば、収納具はネジ入／小物部材入等で、釣具は鋏等の道具入／ルアーケース／餌入／魚篭等で、測定具は巻尺／下げ振り／で、工具はドライバー／カッターナイフ／ヘラ等で、バインダーはメモ用紙等の薄い部材を挟むものである。そして、壁掛可能な映像機器または音響機器または額、すなわち常設する物品では、壁掛テレビ／ＣＤやＭＤのプレーヤー／スピーカー／絵画やポスターの額等である。勿論、他の携帯可能また携帯不可能な物品に用いてもよい。
【０００９】
保持部材は、前述のように係合部材をロック状態に係合（保持）することができ、そして、ロックを解除（アンロック）する際は、第1の物品を適宜に動かすことによって、保持部材に設けられている解除操作部が作動したり、また、保持部材に設けられている解除操作部を手等で適宜に操作したり、そして、圧力を以って嵌っている嵌合部を力によって外すことによって解除される。
【００１０】
保持部材には、第２の物品に装着するための装着手段が設けられており、その装着手段によって適宜に第２の物品に装着される。その装着手段も特に限定するものではない。そして、ベルトに装着する場合、既に装着しているベルトを外すことなくそのベルトに装着できるように、保持部材に設けられている板体をベルトの幅方向に掛け回し、且つその板体の適宜の部位を板体または保持部材に固定または連結することによって保持部材をベルトに装着するようにしてもよい。その板体は曲げて（折り曲げも含む）ベルトを取り巻くようにする。板体あるいは板体および保持部材によって環状体が形成される。また、板体ではなく柔軟な帯体を用いてもよい。
保持部材が装着される第２の物品とは、例えば、人が携帯するものとしては、衣服／ズボン／ベルト／肩紐／カバン／バッグ等が上げられ、また、常設されるものとしては、家具／収納庫／建材等である。
これらの物品に、ピン／ベルト通孔／結紐／フック／ネジ／粘着テープ／圧入／嵌入／接着／溶着／インサート等によって取り付けできるようにすればよい。勿論、これらの物品への使用に限定されるものではなく、他の携帯可能また携帯不可能な所望の物品に取り付けてもよい。
【００１１】
そして、係合部材や保持部材の素材等も特に限定するものではなく、適宜の樹脂素材や金属素材またはそれらの組み合せて形成すればよい。
例えば、樹脂素材の一例としては、塩化ビニールやポリカーボネート等を一体成型等によって形成してもよい。また、金属素材の一例としては、アルミ／ステンレス／チタン等の金属素材を折曲げやプレスまたダイキャストや押出し等の方法によって形成してもよい。
勿論、ホルダーとしての強度や機能を満足できれば上述のものに限定されるものではなく最適な素材によって形成すればよい。また、より高い強度を必要とするのであれば、樹脂素材と金属素材を適所に用いて形成すればよい。
そして、係合部材また保持部材は、用いる物品に対応可能（保持可能）になっていれば携帯する小型の物品また常設する大型の物品への使用の限定はない。
【００１２】
ホルダーの第１の態様は、係合部材は一方向が長いプレート体に係合部が立設されてなると共にその係合部材が第１の物品に取り付けられた際にプレート体と第１の物品との間に適宜の隙間が開くようになっており、また、保持部材は係合部材の係合部と自動係合可能な係合受部が形成されていると共にその係合状態において係合部材のプレート体の短手方向と同一または少し広めの間隙を開けて対向する壁を有した一部または全部が可動且つ自動復帰する収容部からなり、その収容部は係合部材の係合部の押し当てによって係合受部への案内路が出現可能になっていることを特徴とする物品のホルダーである。
【００１３】
第１の態様のホルダーを詳しく説明すると、係合部材の係合部のプレート体への立設位置としてはプレート体のほぼ中央部位が望ましいが、係合部材のロック解除動作において、保持部材との係合が解除可能であればプレート体の中央から適宜に偏位した部位または縁部等に設けてもよい。
そして、プレート体と第１の物品との間の隙間は、係合部材が保持部材に係着された際に、少なくともその隙間に進入する部位の保持部材の部材厚より広くしておかなければならない。
【００１４】
プレート体の形状は、一方が長い形状であればどのような形状であってもよく特に限定するものではない。その具体的な形状としては、略楕円形や略長方形がよく、また、周縁が波打ち形状／凸凹形状になっていてもよい。すなわち、後述する保持部材の壁をプレート体の回転によって押し広げることが可能な形状であればどのような形状であってもよい。
また、プレート体の厚さや断面形状も特に限定するものではない。例えば、断面形状が円形／楕円／三角・四角・多角等の角形であってもよい。
【００１５】
係合部の形状は、保持部材の係合受部に係合可能な形状であればどのような形状であってもよく特に限定するものではない。具体的には、断面円形または断面楕円の柱状体や断面多角形または断面三角形の柱状体としてもよい。
そして、その係合部がプレート体と第１の物品との間に適宜の隙間を設けるための脚部を兼用させてもよい。
【００１６】
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
【００１７】
収容部とは、係合部材の少なくともプレート体が納まるスペースであって、係合部材のプレート体の短手方向と同一または少し広めの間隙を開けて対向する壁を設け、そして、壁が係合部材のプレート体の回転によって押し広げることができるよう可動可能に、また、自動的に元の位置に復帰するように構成する。その復帰構造としては、バネ等の弾発等によるものであってもよい。
壁の可動部分は、壁の全部または一部であってもよく、そして、壁は片側のみが可動するものであっても両側が一対で可動するものであってもよい。壁の復帰位置は、係合受部によって係合部材の係合部を係合できる状態にある時である。
そして、後述の案内路の出現部位に係合部材の係合部を容易に誘導できるよう収容部の上方部位等を誘導可能な形状、例えばＶ字状等の形状にしてもよい。
【００１８】
案内路とは、保持部材の適宜の部位から係合受部へ続く部分であり、少なくとも係合部材の係合部が通過可能なスペースとする。
そして、保持部材の全体形状も特に限定するものではなく、係合部材の形状との関係において適宜に選定すればよい。
【００１９】
ホルダーの第２の態様は、係合部材は係合部が形成されたプレート体とそのプレート体と第１の物品との間に適宜の隙間を設けるための脚部とからなり、また、保持部材は係合部材のプレート体の係合部と自動係合可能な係合受部と係合部材の脚部と自動係合可能な脚受部が形成された収容部からなり、その収容部の少なくとも係合受部および／または脚受部は適宜の弾性を有しており、また、係合受部および／または脚受部への係合が適宜の力によって係合されることを特徴とする物品のホルダーである。
【００２０】
第２の態様のホルダーを詳しく説明すると、係合部材のプレート体の形状も特に限定するものではなく、平面視において円形や角形であってもよい。また、平であっても中央が盛り上がった山形状であってもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。また、係合部材の少なくとも係合部および／または脚部の素材に適宜の弾性を持たせるのがよい。
プレート体と第１の物品との間の隙間は、係合部材が保持部材に係着された際に、少なくともその隙間に進入する部位の保持部材の部材厚より広くしておかなければならない。
【００２１】
保持部材の収容部の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
係合部材のプレート体と係合する係合受部の係合形態も特に限定するものではないが、具体的には、凸部と凹部の関係からなるものがよい。また、係合部材の脚部と係合する脚受部の係合形態は、前述のプレート体の係合を維持可能であればその脚部の係合形態も特に限定するものではなく、具体的には、脚部が所定の力によって嵌入可能な切り欠き部を有すると共に、脚部の太さとほぼ同一または少し広めの開口からなるものがよい。
また、収容部の少なくとも係合受部および／または脚受部の素材に適宜の弾性を持たせるのがよい。
そして、保持部材の全体形状も特に限定するものではなく、係合部材の形状との関係において適宜に選定すればよい。
【００２２】
ホルダーの第３の態様は、係合部材は周縁付近を係合部位とするプレート体とそのプレート体と第１の物品との間に適宜の隙間を設けるための脚部とからなり、また、保持部材は係合部材のプレート体を収容可能な前倒れ且つ自動復帰する収容部とプレート体が収容された際にそのプレート体の鉛直移動を阻止可能に配設された張出体とからなることを特徴とする物品のホルダーである。
【００２３】
第３の態様のホルダーを詳しく説明すると、係合部材のプレート体の形状も特に限定するものではなく、平面視において円形や角形（多角形も含む）であってもよい。また、平面であっても中央が盛り上がった断面山形状であってもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。
プレート体と第１の物品との間の隙間は、係合部材が保持部材に係着された際に、少なくともその隙間に進入する部位の保持部材の部材厚より広くしておかなければならない。
【００２４】
保持部材の収容部の前倒れ且つ自動復帰するとは、係合部材すなわち物品の収容／取出を行う側に適宜に倒れるようになっていると共に、素材の弾性やバネ等の弾発等によって元の位置に付勢されていることである。収容部の復帰位置は、収容されたプレート体の鉛直移動を阻止できる状態にある時である。
そして、その収容部はプレート体を適宜に収容可能になっていればよく、具体的には、係合部材の脚部が通過でき且つプレート体より幅が狭い切り欠きを成する。切り欠きの形状も略Ｕ字状等に摺ればよく特に限定するものではない。
張出体は、収容されたプレート体の鉛直移動を阻止可能に配設すればよく、その形態等を特に限定するものではないが、収容部が復帰状態にある時に、係合部材のプレート体の一部を収容部内に係入できるような形態に設けるのが望ましい。
そして、保持部材の全体形状も特に限定するものではなく、係合部材の形状との関係において適宜に選定すればよい。
【００２５】
ホルダーの第４の態様は、係合部材は係合孔とその係合孔を間にして一対の鉤手条が対向して形成されてなり、また、保持部材は係合部材の係合孔と係合可能な係合突起とその周囲に形成されて係合突起と同一またはそれ以上に突出する自動復帰するプレート体からなり、そのプレート体はプレート体と保持部材本体との間に適宜の隙間を設けるための脚部を有し、また、係合部材の鉤手条内の鉤手下から外れない幅であることを特徴とする物品のホルダーである。
【００２６】
第４の態様のホルダーを詳しく説明すると、係合部材の係合孔は保持部材に設けられる係合突起が嵌るための孔であり、係合孔から係合突起が外れることがなければ、その係合孔と係合突起の形状や嵌合寸法等も同一にすることはなく適宜なものとすればよい。
また、一対の対向する鉤手条とは、保持部材に設けられるプレート体を案内するための案内手段となるもので、プレート体を案内可能であればその形状も特に限定するものではなく、具体的には、鉤手の中央部分を多く突出させた山形状としてもよい。そして、この場合、前述の係合孔は鉤手の頂部を結ぶ線上に設けるのが望ましい。
【００２７】
保持部材のプレート体は、係合部材の鉤手条から外れることがなければどのような形状であってもよく、平面視において円形／多角形／三角形／四角形等の形状であってもよい。そして、プレート体は係合突起の周囲に形成されるが、その周囲の意味は、係合突起の全周と共に周囲の一部に形成されることを含むものであり、その形成形態は係合部材に形成される係合孔との位置関係等によって適宜に決めればよい。また、プレート体を自動復帰させるためには、バネ等の弾発等によって元の位置に付勢するようにすればよい。また、プレート体の復帰位置は、係合突起の頂部より下方に位置している時である。
脚部のプレート体への立設位置も特に限定するものではなく、本体中央やその中央から適宜に偏位した部位または縁部等に設けてもよいが、少なくとも保持部材の本体とプレート体との間には、係合部材の鉤手条が入る隙間が無ければならない。プレート体の自動復帰を可能にするため脚部も適宜の構造にしてもよい。
そして、保持部材の全体形状も特に限定するものではなく、係合部材の形状との関係において適宜に選定すればよい。
【００２８】
ホルダーの第５の態様は、係合部材は自動復帰する係合突起とその係合突起の復帰位置において係合突起の動きを阻止可能に且つ係合部材の本体より突出する突出部が設けられてなる自動復帰する制動部材とその制動部材の所定の動作を確保可能に係合部材の本体と第１の物品との間に適宜の隙間を設けるための脚部とからなり、また、保持部材は係合部材を収容可能に且つ係合部材の係合突起と係合可能な係合孔を有すると共に係合突起と係合孔の少なくとも係合位置付近においては係合部材の制動部材を復帰状態におき且つ突出部を押し当て可能な壁が設けられた収容部からなることを特徴とする物品のホルダーである。
【００２９】
第５の態様のホルダーを詳しく説明すると、係合突起は、後述の保持部材に形成される係合孔に嵌る突起である。そして、係合突起と係合孔はその機能を考慮して適宜な形態（形状や寸法等）のものとすればよい。また、係合突起の自動復帰とは、自動的に元の位置に復帰可能になっていることで、具体的には、バネ等の弾発等によって元の位置に付勢するようにすればよい。その復帰位置は係合突起が突出している状態の時である。係合突起の動作形態も特に限定するものではなく、進退動作または回動動作するようにしてもよい。
制動部材は、係合突起の引っ込み動作を阻止可能になっているもので、この制動部材も部材の弾性やバネ等の弾発等によって自動的に元の位置に復帰可能になっている。そして、制動部材の復帰位置は、係合突起の引っ込み動作を阻止できる状態にある時と共に、突出部が適宜に突出している状態にある時である。
脚部の係合部材の本体への立設位置も特に限定するものではなく、本体中央やその中央から適宜に偏位した部位または縁部等に設けてもよいが、少なくとも係合部材の本体と第１の物品との間には、制動部材の突出部を係合突起の引っ込み動作が可能になる位置まで押し込めるだけの距離寸法と同じ寸法の隙間が無ければならない。
【００３０】
保持部材の収容部は、適宜に係合部材の所定の部位を収容することができればどのような形状であってもよい。収容部に設けられている係合突起が入る係合孔は、その機能と共に係合突起との関係を考慮して適宜な形態（形状や寸法等）のものとすればよい。
また、収容部の係合突起と係合孔の少なくとも係合位置においては、係合部材の制動部材の突出部を押し当て可能な壁等の押当手段が設ける。さらに、収容スペースにおいては、係合部材の制動部材の突出部を係合突起の引っ込み動作が可能になる位置まで押し込めるだけの距離寸法と同じ寸法の奥行き方向のスペースが無ければならない。
そして、保持部材の全体形状も特に限定するものではなく、係合部材の形状との関係において適宜に選定すればよい。具体的には、係合部材が略逆台形状または略逆三角形状であると共に、保持部材が少なくともその係合部材の係合突起付近の形状とほぼ合致する形状としてもよい。
【００３１】
ホルダーの第６の態様は、係合部材は係合部が形成された一方向が長いプレート体とそのプレート体と第１の物品との間に適宜の隙間を設けるための脚部とからなり、また、保持部材は係合部材のプレート体を挿入するための開口を有する本体とその本体の開口に挿入したプレート体が適宜に回転されることによって係合部材の係合部と自動係合可能な係合受部が形成されてなり、その係合が適宜の圧力を以って係合されることを特徴とする物品のホルダーである。
【００３２】
第６の態様のホルダーを詳しく説明すると、係合部材のプレート体の形状は、一方が長い形状であればどのような形状であってもよく特に限定するものではない。その具体的な形状としては、略楕円形や略長方形で、また、断面形状が円形／楕円／三角・四角・多角等の角形であってもよく、さらに、平面であっても中央が盛り上がった山形状であってもよい。そして、周縁が波打ち形状／凸凹形状になっていてもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。
プレート体と第１の物品との間の隙間は、係合部材が保持部材に係着された際に、少なくともその隙間に進入する部位の保持部材の部材厚より広くしておかなければならない。
【００３３】
保持部材のプレート体を挿入するための開口は、保持部材の係合受部と係合部材の係合部とが係合した時その係合が外れることがなければ、プレート体の形状とほぼ同一の形状にしなくてもよい。勿論、ほぼ同一の形状としてもよい。
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。そして、係合部材の係合部と保持部材の係合受部との係合が突起と孔との関係によるものであってもよく、また、その係合は適宜の圧力を以って行うようにしてもよい。
【００３４】
係合部材および／または前記保持部材には、係合部材の係合部と保持部材の係合受部とを係合させるための案内または位置決め手段を設けてもよい。
また、係合部材および／または前記保持部材の一部または全部を適宜の弾性素材で形成してもよい。
そして、保持部材の全体形状も特に限定するものではなく、係合部材の形状との関係において適宜に選定すればよい。
【００３５】
ホルダーの第７の態様は、係合部材はプレート体に係合部が立設されてなると共にその係合部材がケースに取り付けられた際にプレート体と第１の物品との間に適宜の隙間が開くようになっており、また、保持部材は係合部材の係合部と自動係合可能な係合受部が形成されると共にその係合状態において係合部材の最大幅と同一または少し広めの間隙を開けて対向する壁を有した一部または全部が可動且つ自動復帰する収容部からなり、その収容部は係合部材の係合部の押し当てによって係合受部への案内路が発現可能になっており、また、適宜の部位に係合部材の係合解除操作部が設けられていることを特徴とする物品のホルダーである。
【００３６】
第７の態様のホルダーを詳しく説明すると、係合部材の係合部のプレート体への立設位置としてはプレート体のほぼ中央部位が望ましいが、係合部材のロック解除動作において、保持部材との係合が解除可能であればプレート体の中央から適宜に偏位した部位または縁部等に設けてもよい。プレート体の形状も特に限定するものではなく、平面視で円形または多角形等にしてもよい。
係合部の形状は、保持部材の係合受部に係合可能な形状であればどのような形状であってもよく特に限定するものではない。具体的には、断面円形または断面楕円の柱状体や断面多角形または断面三角形の柱状体としてもよい。
そして、プレート体と第１の物品との間の隙間は、係合部材が保持部材に係着された際に、少なくともその隙間に進入する部位の保持部材の部材厚より広くしておかなければならない。また、係合部にプレート体と第１の物品との間に適宜の隙間を設けるための脚部を兼用させてもよい。
【００３７】
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
収容部とは、係合部材の少なくともプレート体が納まるスペースであって、係合部材のプレート体の最大幅と同一または少し広めの間隙を開けて対向する壁を設け、そして、壁を手等によって開放できるよう可動可能に、また、自動的に元の位置に復帰するように構成する。その復帰構造としては、バネ等の弾発等によるものであってもよい。壁の可動部分は壁の全部であっても一部であってもよく、さらに、壁は片側のみが可動するものであっても、両側が一対で可動するものであってもよい。また、壁の復帰位置は、係合受部によって係合部材の係合部を係合できる状態にある時である。
そして、後述の案内路の出現部位に係合部材の係合部を容易に誘導できるよう収容部の上方部位等を誘導可能な形状、例えばＶ字状等の形状にしてもよい。
案内路とは、保持部材の適宜の部位から係合受部へ続く部分であり、少なくとも係合部材の係合部が通過可能なスペースとする。
保持部材の全体形状も特に限定するものではなく、係合部材の形状との関係において適宜に選定すればよい。また、係合部材の係合解除操作部の形成部位も特に限定するものではない。例えば、壁の上方に突出させて設けてもよい。
【００３８】
ホルダーの第８の態様は、係合部材は係合部が形成されたプレート体とそのプレート体と第１の物品との間に適宜の隙間を設けるための脚部とからなり、また、保持部材は係合部材のプレート体を収容可能な収容部とその収容部の奥端に設けられて係合部材の係合部と自動係合可能な係合受部が形成された自動復帰するレバーとからなることを特徴とする物品のホルダーである。
【００３９】
第８の態様のホルダーを詳しく説明すると、係合部材のプレート体の形状も特に限定するものではなく、平面視において円形や角形であってもよい。
脚部のプレート体への立設位置としては、係合部より上方のプレート体のほぼ中央部位が望ましいが、保持部材の係合受部との係合または解除が可能であればプレート体の中央から適宜に偏位した部位または縁部さらには係合部より下方等に設けてもよい。また、その脚部に係合部を設けてもよい。
プレート体と第１の物品との間の隙間は、係合部材が保持部材に係着された際に、少なくともその隙間に進入する部位の保持部材の部材厚より広くしておかなければならない。
【００４０】
保持部材に設けられたレバーの自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
係合部材の係合部と係合する係合受部の係合形態も特に限定するものではないが、具体的には、突起や突条とツメの関係からなるものがよい。そして、自動係合のため突起や突条および／またはツメがそれぞれの部材を乗り越え可能に形成する。少なくとも突起や突条および／またはツメを弾性を有する素材で形成してもよい。また、レバーは手等によって係合を解除できるよう可動可能に、また、自動的に元の位置に復帰するように構成する。その復帰構造としては、バネ等の弾発等によるものであってもよい。
レバーの操作形態も特に限定するものではないが、具体的には、レバーが係合部材の挿脱方向に対して直角方向にスライドするものがよい。
また、収容部の入口に、係合部材の脱方向に弾発する弾性手段（弾発手段も含む）を設けると共に、係合部材にその弾性手段と当接可能な当接部を設けて、係合部材と保持部材が係合された際に、係合部材の当接部によって保持部材の弾性手段が押し込まれるようにしてもよい。当接部も適宜な形状とすればよい。また。弾性手段も特に限定するものではなく、素材の有する弾性を用いたりバネ部材等を設けてもよい。
そして、レバーを含めて保持部材の全体形状も特に限定するものではなく、係合部材の形状との関係において適宜に選定すればよい。
【００４１】
ホルダーの第９の態様は、係合部材は周縁付近を係合部位とするプレート体とそのプレート体と第１の物品との間に適宜の隙間を設けるための脚部とからなり、また、保持部材は係合部材のプレート体を挿入可能な開口を有する本体とその本体の外方に設けられてプレート体の係合部位と自動係合可能な係合受部が形成された自動復帰するボタンとからなることを特徴とする物品のホルダーである。
【００４２】
第９の態様のホルダーを詳しく説明すると、係合部材のプレート体の形状も特に限定するものではなく、平面視において円形や楕円また角形であってもよい。また、平であっても中央が盛り上がった山形状であってもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。
プレート体と第１の物品との間の隙間は、係合部材と保持部材の係着形態による位置寸法を考慮して適宜に設定すればよい。
【００４３】
保持部材のプレート体を挿入するための開口は、保持部材の係合受部と係合部材の係合部とが係合した時その係合が外れることがなければ、プレート体の形状とほぼ同一の形状にしなくてもよい。勿論、ほぼ同一の形状としてもよい。
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
ボタンの設置する部位も特に限定するものではないが本体の外方に設けるのがよい。また、本体の外方に開口を間にして一対で設けてもよい。ボタンの形状は手等によって係合を解除できるように、また、自動的に元の位置に復帰するように構成する。その復帰構造としては、素材の弾性やバネ等の弾発等によるものであってもよい。また、ボタンの操作形態も特に限定するものではないが、具体的には、ボタンを本体の内方に押し込むことによって係合が解除されるようにするのがよい。
そして、ボタンの押し込み操作によって係合部材のプレート体が脱方向すなわち開口から押し出されるようにしてもよい。
さらに、保持部材の本体の一部または全部を開口を中心としたすり鉢状に形成してもよい。
そして、ボタンを含めて保持部材の全体形状も特に限定するものではなく、係合部材の形状との関係において適宜に選定すればよい。
【００４４】
本発明の物品のホルダーは以上のように係合部材と保持部材とから構成されており、係合部材は適宜に第１の物品に装着され、また、保持部材は第２の物品に装着される。
第１の態様から第３の態様までは、係合部材の保持部材への係合が自動的にロック状態に係合され、また、係合を解除する際は、係合部材が取り付けられた第１の物品を適宜に操作することによってロック状態が解除される。
第４の態様から第６の態様までは、係合部材の保持部材への係合が、係合部材が取り付けられた第１の物品を適宜に操作することによってロック状態に係合され、また、係合を解除する際も、その第１の物品を適宜に操作することによってロック状態が解除される。
第７の態様から第９の態様までは、係合部材の保持部材への係合が自動的にロック状態に係合され、また、係合を解除する際は、保持部材の解除操作部を手等によって適宜に操作することによってロック状態が解除される。
【発明の効果】
【００４５】
本発明の物品のホルダーは以上のように構成されているので、所望の物品をロック可能に保持することができる。
携帯可能な物品においては、保持部材すなわちホルダーに納めた第１の物品は確実にロックされるので、物品が引っ掛り等によってホルダー内から落下することもなく、物品の破損／紛失／盗難等を防止できる。また、高所にいる際も下方の人や物に対する安全も確保できるので、物品落下による二次的事故を減少させることができる。
常設の物品においては、人や物の移動の際の引っ掛りや接触等によって落下することもなく、また、地震発生の際の物品の落下を防止することもできる。
そして、ロック／アンロック操作も容易に行うことができるので、ホルダーへの着脱操作時の物品落下を減少させることができる極めて優れたものである。
【発明を実施するための最良の形態】
【００４６】
本発明の物品のホルダーを以下図面に従って説明する。また、第１の物品とそれに取り付けている係合部材との関係は、図面上で示すためにおいての一例であって、係合部材は所望の物品に適宜の固定手段によって取り付ければよい。また、保持部材の第２の物品への装着手段（固定手段）も取り付ける物品によって変わるものであり、図面上では一例を示すものである。
図１〜図４までは第１の態様の物品のホルダーを示すものであり、図１は、第１の態様の係合部材を装着した携帯電話機の斜視図、図２は、携帯電話機の側面図、図３は、第１の態様の保持部材の斜視図、図４は、係合状態の図である。図４の左図は、係合部材１がロック状態に保持部材９に収容されている状態で、右図は、係合部材１の本体となるプレート体１ａを回転させて可動壁１３を開きロックを解除した状態である。
１は携帯電話機８ａにネジ等によって装着された係合部材、１ａは係合部材１の本体となるプレート体、２は保持部材９の係合受部１５と係合する係合部であると共に、係合部材１の脚部５でもある。
９は保持部材でプレート体１ａをロック状態に保持するホルダーである。１０はベルトを通すためのベルト通孔、１１はプレート体１ａを収容する収容部、１２はプレート体１ａの係合部２（脚部５）の押当部、１３は可動壁、１４は係合部材１の係合部２（脚部５）の押し当てによって出現した案内路、１５はプレート体１ａの係合部２と係合する係合受部である。
【００４７】
この第１の態様は、携帯電話機８ａに装着された係合部材１（プレート体１ａ）の係合部（脚部５）を保持部材９の収容部１１の押当部１２に押し当てることによって収容部１１の可動壁１３が適宜に開くと共に、係合部２を受ける係合受部１５への案内路が現れ、係合部２は係合受部１５に且つプレート体１ａは収容部１１内に入って行き、係合部２が係合受部１５に係合されることによって収容部１１の可動壁１３壁が閉じ、携帯電話機８ａは保持部材９にロック状態に保持される。
係合の解除は、携帯電話機８ａを係合部２を中心軸として右または左に回転させることによってプレート体１ａが回転し、プレート体１ａの長手方向の端部が収容部１１の可動壁１３を押し広げることによって係合受部１５から外部に続く案内路が現れ、係合部２と共にプレート体１ａを収容部から引き出すことができるようになり、従って、携帯電話機８を取り出すことができるようになる。
【００４８】
図５〜図８までは第２の態様の物品のホルダーを示すものであり、図５は、第２の態様の係合部材を装着した餌入れの斜視図、図６は、餌入れの側面図、図７は、第２の態様の保持部材の斜視図、図８は、係合状態の断面図である。
１は餌入れ８ｂにネジ等によって装着された係合部材、１ａは係合部材１の本体となるプレート体、２は保持部材９の係合受部１５と係合する係合部、５は係合部材１の脚部である。
９は保持部材でプレート体１ａをロック状態に保持するホルダーである。１０はベルトを通すためのベルト通孔、１１はプレート体１ａを収容する収容部、１５はプレート体１ａの係合部２と係合する係合受部、１６は係合部材１の脚部５の所定の部位と係合する脚受部である。
【００４９】
この第２の態様は、餌入れ８ｂに装着された係合部材１（プレート体１ａ）の係合部（脚部５）を保持部材９の収容部１１の脚受部１６に適宜の力を以って嵌め入れることによってプレート体１ａの脚部５も収容部１１の係合受部１５に係合され、餌入れ８ｂは保持部材９にロック状態に保持される。
係合の解除は、餌入れ８ｂを取り出す方向に力任せに引くことによってプレート体１ａの係合部と収容部１１の係合受部１５との係合が解除されると共に、脚部５と脚受部１６との係合が解除され、収容部１１からプレート体１ａを引き出すことができるようになり、従って、餌入れ８ｂを取り出すことができる。
【００５０】
図９〜図１２までは第３の態様の物品のホルダーを示すものであり、図９は、第３の態様の係合部材を装着したＭＤプレーヤーの斜視図、図１０は、ＭＤプレーヤーの側面図、図１１  は、第３の態様の保持部材の斜視図、図１２は、係合状態の一部断面図である。図１２の左図は、係合部材１がロック状態に保持部材９に収容されている状態で、右図は、ＭＤプレーヤー８ｃを傾斜させ可動壁１３を開けてロックを解除した状態である。
１はＭＤプレーヤー８ｃにネジ等によって装着された係合部材、１ａは係合部材１の本体となるプレート体、２は保持部材９の係合受部１５と係合する係合部でその係合する部位はプレート体１ａの周縁の所定の部位となる。５は係合部材１の脚部である。
９は保持部材でプレート体１ａをロック状態に保持するホルダーである。１０はベルトを通すためのベルト通孔、１１はプレート体１ａを収容する収容部、１３は可動壁、１７はプレート体１ａの上方移動を阻止する張出体である。
【００５１】
この第３の態様は、ＭＤプレーヤー８ｃに装着された係合部材１（プレート体１ａ）の係合部（脚部５）を保持部材９の収容部１１内に挿入して行くと、保持部材９の張出体１７の作用によってプレート体１ａが収容部１１を前倒れさせ且つプレート体１ａは張出体１７を乗り越えて収容部１１内に入り、プレート体１ａが張出体１７を乗り越えた時点で前倒れの収容部１１が元に戻ってプレート体１ａの上方移動が阻止され、ＭＤプレーヤー８ｃは保持部材９にロック状態に保持される。
係合の解除は、ＭＤプレーヤー８ｃを外方に倒すことによってプレート体１ａの上方移動を阻止する張出体１７の作用すなわち係合作用が解除され、収容部１１からプレート体１ａを引き出すことができるようになり、従って、ＭＤプレーヤー８ｃを取り出すことができる。
【００５２】
図１３〜図１６までは第４の態様の物品のホルダーを示すものであり、図１３は、第４の態様の係合部材を装着した回路テスターの斜視図、図１４は、回路テスターの側面図、図１５は、第４の態様の保持部材の斜視図、図１６は、係合状態の一部断面図である。図１６の左図は、係合部材１がロック状態に保持部材９に収容されている状態で、右図は、回路テスター８ｄを外方に引いてプレート２０体を引き出しロックを解除した状態である。
１は回路テスター８ｄにネジ等によって装着された係合部材、３は保持部材９の係合突起１８と係合する係合孔、６は保持部材９のプレート体２０を挟む鉤手条部である。
９は保持部材で係合部材１をロック状態に保持するホルダーである。１０はベルトを通すためのベルト通孔、１８は係合突起、２０は進退移動するプレート体、２０ａはプレート体の脚である。
【００５３】
この第４の態様は、回路テスター８ｄに装着された係合部材１の鉤手条部６を保持部材９のプレート体２０の周縁に引っ掛けてそのプレート体２０を引き出しながら鉤手条部６をプレート体２０に嵌めて行き、係合部材１の係合孔３と保持部材９の係合突起１８が合った位置でプレート体２０を元の位置に戻すことによって係合部材１の係合孔３と保持部材９の係合突起１８が係合され、回路テスター８ｄは保持部材９にロック状態に保持される。
係合の解除は、回路テスター８ｄを外方に引くことによってプレート体２０が引き上がり、係合部材１の係合孔３と保持部材９の係合突起１８の係合が解除され、プレート体２０から鉤手条部６を引き出すことができるようになり、従って、回路テスター８ｄを取り出すことができる。
【００５４】
図１７〜図２０までは第５の態様の物品のホルダーを示すものであり、図１７は、第５の態様の係合部材を装着したパネルの斜視図、図１８は、パネルの側面図、図１９は、第５の態様の保持部材の斜視図、図２０は、係合状態の図である。図２０の左図は、係合部材１がロック状態に保持部材９に収容されている状態で、右図は、パネル８ｅを押して制動部材７の制動を解きロックを解除した状態である。
１はパネル８ｅにネジ等によって装着された係合部材、４は保持部材９の係合孔１９と係合する係合突起、７は係合突起４の進退移動を制御する制動部材（突出部）である。すなわち、制動部材７が係合部材１内に押し込まれることによって係合突起４が進退移動でき、制動部材７が係合部材１から突出している（復帰状態）と係合突起４は係合部材１内に入らない。
９は保持部材で係合部材１をロック状態に保持するホルダーである。１０ａは壁等へ固定ネジで取り付けるためのネジ通孔、１１は係合部材１を収容する収容部、１９は係合部材１の係合突起４と係合する係合孔である。
【００５５】
この第５の態様は、パネル８ｅに装着された係合部材１の突出部（制動部材７）を係合部材１の係合突起４が引っ込み動作可能な位置まで押し当てながら係合部材１を保持部材９の収容部１１に入れて行き、係合部材１の係合突起４が保持部材９の係合孔１９に係合した時点で突出部（制動部材７）の押し当てを止めることによって係合突起４に制動が掛かり、パネル８ｅは保持部材９にロック状態に保持される。
係合の解除は、パネル８ｅを内方に押しすなわち突出部（制動部材７）を引っ込ませることによって係合突起４の制動が解除され、収容部１１から係合部材１を引き出すことができるようになり、従って、パネル８ｅを取り出すことができる。
【００５６】
図２１〜図２４までは第６の態様の物品のホルダーを示すものであり、図２１は、第６の態様の係合部材を装着したカーテレビの斜視図、図２２は、カーテレビの側面図、図２３は、第６の態様の保持部材の斜視図、図２４は、係合状態の一部断面図である。
１はカーテレビ８ｆにネジ等によって装着された係合部材、１ａは係合部材１の本体となるプレート体、２は保持部材９の係合受部１５と係合する係合部、２ａは保持部材９の凸部２２と係合する凹部で、すなわち、プレート体１ａと保持部材９との位置決手段である。５は係合部材１の脚部である。
９は保持部材でプレート体１ａをロック状態に保持するホルダーである。１０ａは取付ステ−等へ固定ネジで取り付けるためのネジ通孔、１５はプレート体１ａの係合部２と係合する係合受部、２１は係合部材１のプレート体１ａを入れる開口、２２は凹部で係合部材１と保持部材９との位置決手段である。
【００５７】
この第６の態様は、カーテレビ８ｆに装着された係合部材１のプレート体１ａを形状を合わせて保持部材９の開口２１内に入れ、カーテレビ８ｆを回転させることによってプレート体１ａが回転して行くと共に係合受部１５上を移動して行き、プレート体１ａの係合部２と保持部材９の係合受部１５が係合され、カーテレビ８ｆは保持部材９にロック状態に保持される。
係合の解除は、カーテレビ８ｆを力任せに回転させることによってプレート体１ａの係合部２と保持部材９の係合受部１５との係合が解除され、プレート体１ａを開口２１内から取り出すことができるようになり、従って、カーテレビ８ｆを取り出すことができる。
【００５８】
図２５〜図２８までは第７の態様の物品のホルダーを示すものであり、図２５は、第７の態様の係合部材を装着したバインダーの斜視図、図２６は、バインダーの側面図、図２７は、第７の態様の保持部材の斜視図、図２８は、係合状態の図である。図２８の左図は、係合部材１がロック状態に保持部材９に収容されている状態で、右図は、係合部材１の可動壁１３に設けられたレバー２３を操作して可動壁１３を開きロックを解除した状態である。
１はバインダー８ｇにネジ等によって装着された係合部材、１ａは係合部材１の本体となるプレート体、２は保持部材９の係合受部１５と係合する係合部であると共に、係合部材１の脚部５でもある。
９は保持部材でプレート体１ａをロック状態に保持するホルダーである。１０ａは壁等へ固定ネジで取り付けるためのネジ通孔、１１はプレート体１ａを収容する収容部、１２はプレート体１ａの係合部２（脚部５）の押当部、１３は可動壁、１４は係合部材１の係合部２（脚部５）の押し当てによって発現した案内路、１５は係合部材１の係合部２と係合する係合受部、２３は可動壁１３を開けるためのレバーである。
【００５９】
この第７の態様は、バインダー８ｇに装着された係合部材１（プレート体１ａ）の係合部（脚部５）を保持部材９の収容部１１の押当部１２に押し当てることによって収容部１１の可動壁１３が適宜に開くと共に、係合部２を受ける係合受部１５への案内路が現れ、係合部２は係合受部１５に且つプレート体１ａは収容部１１内に入って行き、係合部２が係合受部１５に係合されることによって収容部１１の可動壁１３が閉じ、バインダー８ｇは保持部材９にロック状態に保持される。
係合の解除は、保持部材９の解除操作部（レバー２３）を操作し、収容部１１の可動壁１３を押し広げることによって係合受部１５から外部に続く案内路が現れ、係合部２と共にプレート体１ａを収容部１１から引き出すことができるようになり、従って、バインダー８ｇを取り出すことができるようになる。
【００６０】
図２９〜図３２までは第８の態様の物品のホルダーを示すものであり、図２９は、第８の態様の係合部材を装着したルアーケースの斜視図、図３０は、ルアーケースの側面図、図３１は、第８の態様の保持部材の斜視図、図３２は、係合状態の図である。図３２の左図は、係合部材１がロック状態に保持部材９に収容されている状態で、右図は、保持部材９に設けられたレバー２３を操作（スライド）してロックを解除した状態である。
１はルアーケース８ｈにネジ等によって装着された係合部材、１ａは係合部材１の本体となるプレート体、２は保持部材９の係合受部１５と係合する係合部、２ｂは保持部材９の弾性部２５を押し込むための押圧部、５は係合部材１の脚部である。
９は保持部材でプレート体１ａをロック状態に保持するホルダーである。１０はベルトを通すためのベルト通孔、１１はプレート体１ａを収容する収容部、１５は係合部材１の係合部２と係合する係合受部、２３はプレート体１ａの係合部２と保持部材９の係合受部１５との係合を解くためのレバーである。その係合が解かれると弾性部２５によってプレート体１ａの押圧部２ｂが押し上げられるので、レバー２３が元の位置に復帰しても、係合部材１の係合部２と保持部材９の係合受部１５とが係合することはない。
【００６１】
この第８の態様は、ルアーケース８ｈに装着された係合部材１のプレート体１ａを保持部材９の収容部１１内に入れて行くことによってプレート体１ａの係合部２が保持部材９のレバー２３の係合受部１５に係合され、ルアーケース８ａは保持部材９にロック状態に保持される。
係合の解除は、保持部材９のレバー２３を操作することによってプレート体１ａの係合部２とレバー２３の係合受部１５との係合が解除され、プレート体１ａを収容部１１から引き出すことができるようになり、従って、ルアーケース８ｈを取り出すことができる
【００６２】
図３３〜図３６までは第９の態様の物品のホルダーを示すものであり、図３３は、第９の態様の係合部材を装着したビクの斜視図、図３４は、ビクに装着した係合部材の側面図、図３５は、第９の態様の保持部材の斜視図、図３６は、係合状態の斜視図である。図３６の左図は、係合部材１のプレート体１ａと保持部材９の係合受部１５とのロック状態を示し、右図は、保持部材９に設けられたボタン２４を操作（押し込み）してロックを解除した状態である。
１はビク８ｉにネジ等によって装着された係合部材、１ａは係合部材１の本体となるプレート体、２は保持部材９の係合受部１５と係合する係合部、５は係合部材１の脚部である。
９は保持部材でプレート体１ａをロック状態に保持するホルダーである。１０はベルトを通すためのベルト通孔、１５はプレート体１ａの係合部２と係合する係合受部、２１は係合部材１のプレート体１ａを入れる開口、２４は係合部材１の係合部２と保持部材９の係合受部１５との係合を解くためのボタンである。
【００６３】
この第９の態様は、ビク８ｉに装着された係合部材１のプレート体１ａを保持部材９の開口２１内に入れて行くことによってプレート体１ａの係合部２と保持部材９の係合受部１５が係合され、ビク８ｉは保持部材９にロック状態に保持される。
係合の解除は、保持部材９のボタン２４を操作（押し込む）することによってプレート体１ａの係合部２と保持部材９の係合受部１５との係合が解除され、プレート体１ａを開口２１内から取り出すことができるようになり、従って、ビク８ｉを取り出すことができる。
【００６４】
図３７は、装着手段の一例を示す図であり、９は保持部材、２６は保持部材９に設けられている板体、２７は板体を２６を連結するため固定具、２８はベルトである。
【図面の簡単な説明】
【００６５】
【図１】第１の態様の係合部材を装着した携帯電話機の斜視図
【図２】携帯電話機の側面図
【図３】第１の態様の保持部材の斜視図
【図４】係合状態の図
【図５】第２の態様の係合部材を装着した餌入れの斜視図
【図６】餌入れの側面図
【図７】第２の態様の保持部材の斜視図
【図８】係合状態の断面図
【図９】第３の態様の係合部材を装着したＭＤプレーヤーの斜視図
【図１０】ＭＤプレーヤーの側面図
【図１１】第３の態様の保持部材の斜視図
【図１２】係合状態の一部断面図
【図１３】第４の態様の係合部材を装着した回路テスターの斜視図
【図１４】回路テスターの側面図
【図１５】第４の態様の保持部材の斜視図
【図１６】係合状態の一部断面図
【図１７】第５の態様の係合部材を装着したパネルの斜視図
【図１８】パネルの側面図
【図１９】第５の態様の保持部材の斜視図
【図２０】係合状態の図
【図２１】第６の態様の係合部材を装着したカーテレビの斜視図
【図２２】カーテレビの側面図
【図２３】第６の態様の保持部材の斜視図
【図２４】係合状態の一部断面図
【図２５】第７の態様の係合部材を装着したバインダーの斜視図
【図２６】バインダーの側面図
【図２７】第７の態様の保持部材の斜視図
【図２８】係合状態の図
【図２９】第８の態様の係合部材を装着したルアーケースの斜視図
【図３０】ルアーケースの側面図
【図３１】第８の態様の保持部材の斜視図
【図３２】係合状態の図
【図３３】第９の態様の係合部材を装着したビクの斜視図
【図３４】ビクに装着した係合部材の側面図
【図３５】第９の態様の保持部材の斜視図
【図３６】係合状態の斜視図
【図３７】装着手段の一例を示す図
【符号の説明】
【００６６】
１−係合部材，１ａ−プレート体，２−係合部，２ａ−凹部，２ｂ−押圧部，３−係合孔，４−係合突起，５−脚，６−鉤手条部，７−制動部材，８−第１の物品，８ａ−携帯電話機，８ｂ−餌入れ，８ｃ−ＭＤプレーヤー，８ｄ−回路テスター，８ｅ−パネル，８ｆ−カーテレビ，８ｇ−バインダ，８ｈ−ルアーケース，８ｉ−ビク，９−保持部材，１０−ベルト通孔，１０ａ−ネジ通孔，１１−収容部，１２−押当部，１３−可動壁，１４−案内路，１５−係合受部，１６−脚受部，１７−張出体，１８−係合突起，１９−係合孔，２０−プレート体，２０ａ−脚，２１−開口，２２−凸部，２３−レバー，２４−ボタン，２５−弾性部，２６−板体，２７−固定具，２８−ベルト
【図１】
2005121047.tif 000003
【図２】
2005121047.tif 000004
【図３】
2005121047.tif 000005
【図４】
2005121047.tif 000006
【図５】
2005121047.tif 000007
【図６】
2005121047.tif 000008
【図７】
2005121047.tif 000009
【図８】
2005121047.tif 000010
【図９】
2005121047.tif 000011
【図１０】
2005121047.tif 000012
【図１１】
2005121047.tif 000013
【図１２】
2005121047.tif 000014
【図１３】
2005121047.tif 000015
【図１４】
2005121047.tif 000016
【図１５】
2005121047.tif 000017
【図１６】
2005121047.tif 000018
【図１７】
2005121047.tif 000019
【図１８】
2005121047.tif 000020
【図１９】
2005121047.tif 000021
【図２０】
2005121047.tif 000022
【図２１】
2005121047.tif 000023
【図２２】
2005121047.tif 000024
【図２３】
2005121047.tif 000025
【図２４】
2005121047.tif 000026
【図２５】
2005121047.tif 000027
【図２６】
2005121047.tif 000028
【図２７】
2005121047.tif 000029
【図２８】
2005121047.tif 000030
【図２９】
2005121047.tif 000031
【図３０】
2005121047.tif 000032
【図３１】
2005121047.tif 000033
【図３２】
2005121047.tif 000034
【図３３】
2005121047.tif 000035
【図３４】
2005121047.tif 000036
【図３５】
2005121047.tif 000037
【図３６】
2005121047.tif 000038
【図３７】
2005121047.tif 000039